(57)【要約】【課題】本発明は複数のベアセルとカップリングタブの溶接時に複数のベアセルを遊動なしに密着するようにして正確な位置にカップリングタブを固定させることができるバッテリ組立体に関する。【解決手段】本発明に係るバッテリ組立体は、上部面に電極端子１１が備えられた複数のベアセル１０と、前記複数のベアセル１０が収容され、前記電極端子１１を露出させる内部端子露出部２４が備えられた第１フレーム２０と、前記第１フレーム２０の前記内部端子露出部２４に安着して、前記複数の前記電極端子１１を連結させるカップリングタブ６０とを含み、前記第１フレーム２０の上部には前記カップリングタブ６０を固定するためのリーブ掛止部が更に形成される。このような構成によって、製品の不良が減少して生産性を向上させることができる。【選択図】 図３Ａ
2011091046.tif 000002
【特許請求の範囲】
【請求項１】
上部面に電極端子が備えられた少なくとも１つ以上のベアセルと、
前記ベアセルが収容され、前記電極端子を露出させる内部端子露出部が備えられ、前記内部端子露出部に隣接するように位置する少なくとも１つのフレーム延長部からなる第１フレームと、
前記第１フレームの前記内部端子露出部に装着されて前記第１フレームと結合されるカップリングタブと、
を含み、
前記カップリングタブは前記電極端子と接触する端子接触部と、前記電極端子に隣接するようにカップリングタブを保持するために前記少なくとも１つのフレーム延長部に結合される突出部からなることを特徴とするバッテリ組立体。
【請求項２】
前記フレーム延長部は一対で形成され、前記カップリングタブと結合されるための保護回路モジュールを収容する空間部を形成することを特徴とする請求項１に記載のバッテリ組立体。
【請求項３】
前記一対のフレーム延長部のいずれか１つにはカップリングタブと電極端子間の溶接のための溶接用開口部を含むことを特徴とする請求項２に記載のバッテリ組立体。
【請求項４】
前記一対のフレーム延長部のいずれか１つには補助開口部が形成され、前記補助開口部を介してリード部材が引き出されて保護回路モジュールに連結されることを特徴とする請求項３に記載のバッテリ組立体。
【請求項５】
前記一対のフレーム延長部は前記カップリングタブが挿入されるスロットを含み、前記カップリングタブが前記スロットに位置するとき、端子接触部が前記電極端子に隣接するように位置することを特徴とする請求項２に記載のバッテリ組立体。
【請求項６】
前記スロットは前記一対のフレーム延長部の内表面上に形成されることを特徴とする請求項５に記載のバッテリ組立体。
【請求項７】
前記突出部は前記一対のフレーム延長部に実質的に平行な方向に延びた第１垂直リーブと第２垂直リーブを含んで前記フレーム延長部と結合され、前記第１垂直リーブと第２垂直リーブは前記カップリングタブの端子接触部に実質的に垂直な方向に延在形成されることを特徴とする請求項５に記載のバッテリ組立体。
【請求項８】
前記突出部は前記第１垂直リーブと第２垂直リーブから外側に延びた１つ以上の突出リーブを含んで前記一対のフレーム延長部と結合されて前記カップリングタブを前記電極端子に隣接した位置で固定することを特徴とする請求項６に記載のバッテリ組立体。
【請求項９】
前記第１垂直リーブから延びた第１突出リーブと、前記第１突出リーブと反対方向に延在形成された第２突出リーブを含むことを特徴とする請求項７に記載のバッテリ組立体。
【請求項１０】
前記一対のフレーム延長部のいずれか１つは、前記第２突出リーブが収容される開口部を更に含むことを特徴とする請求項８に記載のバッテリ組立体。
【請求項１１】
前記第２垂直リーブは、前記第１突出リーブと平行な方向に延在形成された第３突出リーブを含むことを特徴とする請求項８に記載のバッテリ組立体。
【請求項１２】
前記フレーム延長部に保護回路モジュールが隣接するように位置して前記保護回路モジュールは前記カップリングタブを介して電極端子と連結され、前記第１フレームによってベアセルと絶縁されることを特徴とする請求項１に記載のバッテリ組立体。
【請求項１３】
前記ベアセル、第１フレーム及び保護回路モジュールを収容する第２フレームを更に含むことを特徴とする請求項１に記載のバッテリ組立体。
【請求項１４】
前記第１フレームは外側に突起部を形成し、前記第２フレームは前記突起部に対応する位置に突起掛止部を形成して前記第１フレームと第２フレームは前記突起部と突起掛止部の結合によって前記第１フレームと第２フレームが整列されて結合されることを特徴とする請求項１３に記載のバッテリ組立体。
【請求項１５】
前記第２フレームは、第１サブフレームと第２サブフレームが結合されて形成されることを特徴とする請求項１４に記載のバッテリ組立体。
【請求項１６】
前記第１フレームの一側には前記ベアセルを前記第１フレームで挿入又は引き出しを容易にするための少なくとも１つの凹部を外表面に形成することを特徴とする請求項１に記載のバッテリ組立体。
【発明の詳細な説明】
【技術分野】
【０００１】
本発明はバッテリ組立体に関し、より詳しくは、複数のベアセルとカップリングタブの溶接時にカップリングタブを固定させるためのバッテリ組立体に適用して好適である。
【背景技術】
【０００２】
ベアセルは正極板、負極板及びその間に介在されたセパレータで構成される電極組立体を電解液と共に缶に収納し、缶の上端部をキャップ組立体で封止して形成される。ここで、キャップ組立体の上部に負極板と電気的に連結された電極端子が突出する。
【０００３】
そして、カップリングタブは通常、硬直な形態の板状金属片からなっており、複数のベアセルの電極端子上に位置するカップリングタブの該当部位を溶接、ソルダリング、機械的な締結によって電極端子と電気的に連結される。
【先行技術文献】
【特許文献】
【０００４】
【特許文献１】韓國特許公開第 2 0 0 9 − 0 0 5 1 5 9 0 号
【特許文献２】韓國特許公開第 2 0 0 9 − 0 0 6 4 0 2 8 号
【特許文献３】韓國特許公開第 2 0 0 9 − 0 0 6 4 0 8 9 号
【発明の概要】
【発明が解決しようとする課題】
【０００５】
しかしながら、複数のベアセルを連結するために、複数の電極端子上にカップリングタブを位置させる場合、複数のベアセルが固定されず、遊動するため、正確な位置にカップリングタブを締結し難いという問題がある。また、複数のベアセルとカップリングタブを固定させることができる別途の固定部材がないため、カップリングタブ自体が歪んだり、折り曲げられるおそれがあり、製品の製作時に不良が多数発生するという問題がある。
【０００６】
そこで、上記問題に鑑みてなされたものであり、本発明の目的とするところは、複数のベアセルを連結するためのカップリングタブを用いて複数のベアセルを遊動なしに密着するようにして正確な位置にカップリングタブを固定させることが可能な、新規かつ改良されたバッテリ組立体を提供することにある。
【課題を解決するための手段】
【０００７】
上記課題を解決するために、本発明のある観点によれば、上部面に電極端子が備えられた少なくとも１つ以上のベアセルと、前記ベアセルが収容され、前記電極端子を露出させる内部端子露出部が備えられ、前記内部端子露出部に隣接するように位置する少なくとも１つのフレーム延長部からなる第１フレームと、前記第１フレームの前記内部端子露出部に安着して前記第１フレームと結合されるカップリングタブを含み、前記カップリングタブは前記電極端子と接触する端子接触部と、前記電極端子に隣接するようにカップリングタブを保持するために前記少なくとも１つのフレーム延長部に結合される突出部からなるバッテリ組立体が提供される。
【０００８】
また、本発明において、前記フレーム延長部は一対で形成され、前記カップリングタブと結合されるための保護回路モジュールを収容する空間部を形成するものであってもよい。
【０００９】
更に、本発明において、前記一対のフレーム延長部のいずれか１つにはカップリングタブと電極端子間の溶接のための溶接用開口部を含むものであってもよい。また、補助開口部を形成して補助開口部を介してリード部材が引き出されて保護回路モジュールに連結されるものであってもよい。
【００１０】
また、本発明において、前記一対のフレーム延長部は前記カップリングタブが挿入されるスロットを含み、前記カップリングタブが前記スロットに位置するとき、端子接触部が前記電極端子に隣接するように位置するものであってもよい。
【００１１】
更に、本発明において、前記スロットは前記一対のフレーム延長部の内表面上に形成されるものであってもよい。
【００１２】
また、本発明において、前記突出部は前記一対のフレーム延長部に実質的に平行な方向に延びた第１垂直リーブと第２垂直リーブを含んで前記フレーム延長部と結合され、前記第１垂直リーブと第２垂直リーブは前記カップリングタブの端子接触部に実質的に垂直な方向に延在形成されるものであってもよい。
【００１３】
更に、本発明において、前記突出部は前記第１垂直リーブと第２垂直リーブから外側に延びた１つ以上の突出リーブを含んで前記一対のフレーム延長部と結合されて前記カップリングタブを前記電極端子に隣接した位置で固定するものであってもよい。
【００１４】
また、本発明において、前記第１垂直リーブから延びた第１突出リーブと前記第１突出リーブと反対方向に延在形成された第２突出リーブを含むものであってもよい。
【００１５】
更に、本発明は、前記一対のフレーム延長部のいずれか１つは前記第２突出リーブが収容される開口部を更に含むものであってもよい。
【００１６】
また、本発明は第２垂直リーブが前記第１突出リーブと平行な方向に延在形成された第３突出リーブを含むものであってもよい。
【００１７】
更に、本発明において、前記フレーム延長部に保護回路モジュールが隣接するように位置して前記保護回路モジュールは前記カップリングタブを介して電極端子と連結され、前記第１フレームによってベアセルと絶縁されるものであってもよい。
【００１８】
また、本発明において、前記ベアセル、第１フレーム及び保護回路モジュールを収容する第２フレームを更に含むものであってもよい。
【００１９】
更に、本発明において、前記第１フレームは外側に突起部を形成し、前記第２フレームは前記突起部に対応する位置に突起掛止部を形成して前記第１フレームと第２フレームは前記突起部と突起掛止部の結合によって前記第１フレームと第２フレームが整列されて結合されるものであってもよい。
【００２０】
また、本発明において、前記第２フレームは第１サブフレームと第２サブフレームが結合されて形成されるものであってもよい。
【００２１】
更に、本発明において、前記第１フレームの一側には前記ベアセルを前記第１フレームで挿入又は引き出しを容易にするための少なくとも１つの凹部を外表面に形成するものであってもよい。
【発明の効果】
【００２２】
以上で説明した通り、本発明によれば、１つ以上のベアセルとカップリングタブの溶接時に複数のベアセルを遊動なしに密着するようにして正確な位置にカップリングタブを固定させることができることによって、製品の不良が減少して生産性を向上させることができるという効果を奏する。
【図面の簡単な説明】
【００２３】
【図１】本発明の一実施形態に係るバッテリ組立体を示す分解斜視図である。
【図２】本発明の一実施形態に係るカップリングタブを示す斜視図である。
【図３Ａ】本発明の一実施形態に係る第１フレームとカップリングタブが結合されている状態を示す斜視図である。
【図３Ｂ】本発明の一実施形態に係る第１フレームとカップリングタブが結合されている状態を示す平面図である。
【図４Ａ】本発明の一実施形態に係るコアパックを示す斜視図である。
【図４Ｂ】本発明の一実施形態に係るコアパックの外部に第２フレームが組み立てられた状態を示す斜視図である。
【図４Ｃ】本発明の一実施形態に係るバッテリ組立体を示す斜視図である。
【発明を実施するための形態】
【００２４】
以下、添付する図面を参照して本発明の実施形態及びその他に当業者が本発明の内容を容易に理解するために必要な事項について詳細に記載する。ただし、本発明は請求の範囲に記載された範囲内で多様な形態で実現されることができるので、後述する実施形態は表現如何にかかわらず、例示的なものに過ぎない。
【００２５】
本実施形態を説明するにおいて、関連する公知となった機能或いは構成についての具体的な説明が本発明の要旨を不要に曖昧にするおそれがあると判断される場合にはその詳細な説明は省略する。そして、図面において同じ構成要素については、たとえ他の図面上に表示されていても、可能な限り同じ参照番号及び符号で示していることに留意しなければならない。なお、図面において各層の厚さや大きさは説明の便宜性及び明確性のために誇張されることができ、実際の層厚や大きさとは異なり得る。
【００２６】
図１は、本発明の一実施形態に係るバッテリ組立体を示す分解斜視図である。
図１を参照すれば、本発明の一実施形態に係るバッテリ組立体は、電極組立体（図示せず）とその外周面を覆う缶で構成された一対のベアセル１０と、ベアセル１０と電気的に連結された保護回路モジュール３０、第１フレーム２０、第２フレーム４０及びテーピング部材５０を含む。本発明では缶型二次電池について示したが、これに限定されるものではない。
【００２７】
上部面１０ｃに電極端子１１が露出したベアセル１０は電極組立体と、電極組立体を収容する缶を備え、電極組立体は両面に正極活物質がコーティングされた正極板、セパレータ、両面に負極活物質がコーティングされた負極板を含んでなる。
【００２８】
正極板と負極板のそれぞれから延びる領域には電極タブが接合される。このような電極タブのうちの１つは缶又はキャッププレートと連結され、もう１つは電極端子１１に連結されて電極端子１１が缶外部に露出し、保護回路モジュール３０と電気的に連結される。
【００２９】
保護回路モジュール３０は、電極端子１１との電気的な接続のために設置された電気接続端子（図示せず）を含み、その上部に外部入出力端子部３１を更に含む。
【００３０】
第１フレーム２０は一対のベアセル１０それぞれの長側面１０ａが１つずつ露出するように四角形或いは「ロ」字状に形成され、一対のベアセル１０が強制嵌入するようにベアセル１０の外形と同じ形態で形成されることができる。
【００３１】
このような第１フレーム２０の上部にはベアセル１０の電極端子１１が露出するように内部端子露出部２４が更に形成され、第１フレーム２０の上側にはフレーム延長部２１が更に形成される。即ち、フレーム延長部２１はベアセル１０の上部面１０ｃと当接する第１フレーム２０の一対の辺からベアセル１０の外側方向に延びる。前記フレーム延長部２１は少なくとも１つ形成されるが、好ましくは、一対からなり、前記カップリングタブ６０と連結されるか、結合される保護回路モジュール３０を収容する空間部を形成するようになる。
【００３２】
そして、フレーム延長部２１それぞれの内側にはカップリングタブ６０を固定するためのリーブ掛止部又はスロット２２が更に形成されて、電極端子１１とカップリングタブ６０を容易に溶接できるようにする。以下で前記リーブ掛止部とスロットは同じ機能をする用語として用いる。また、第１フレーム２０の下端部には互いに向かい合う一対の凹部２７が形成される。凹部２７は第１フレーム２０の内部にベアセル１０の挿入及び引き出しが容易になされるようにする。
【００３３】
本発明の一実施形態に係る第１フレーム２０はベアセル１０の一対の長側面１０ａが露出する四角形又は「ロ」字状に形成されたが、ベアセル１０の一対の長側面１０ａ及び下部面１０ｄが露出するようにアルファベット「Ｃ」又は「コ」字状に形成されることができる。
【００３４】
このような第１フレーム２０の内部端子露出部２４上には一対の電極端子１１を連結させるカップリングタブ６０が安着する（装着される）。カップリングタブ６０は電極端子１１と接触する端子接触部６３と、前記電極端子に隣接するようにカップリングタブ６０を保持するために前記少なくとも１つのフレーム延長部に結合される突出部からなる。前記突出部は、前記端子接触部６３の両端から垂直に延びる一対の垂直リーブ６１及び垂直リーブ６１のそれぞれから互いに反対になる方向に延びる突出リーブ６２からなる。そして、カップリングタブ６０は保護回路モジュール３０と電気的に連結されるが、このために、カップリングタブ６０と保護回路モジュール３０との間にはリード部材（図示せず）が更に備えられることができる。リード部材の一端がカップリングタブ６０に連結され、補助開口部２６を介して引き出されたリード部材の他端が保護回路モジュール３０に連結されることができる。
【００３５】
前記のように、第１フレーム２０を挟んで保護回路モジュール３０と電気的に連結されたベアセル１０にはバッテリパックの外観の一部を形成するように第２フレーム４０が結合される。
【００３６】
第２フレーム４０は、上部第２フレーム４０ａと下部第２フレーム４０ｂがそれぞれ別途に備えられて相互結合により形成されたが、一体型に形成されてもよい。そして、このような第２フレーム４０の外側をテーピング部材５０で覆い、ベアセル１０と第２フレーム４０の結合力を補強できる。
【００３７】
第１フレーム２０と第２フレーム４０の結合力を向上させるために、第１フレーム２０には突起部２３が形成され、第２フレーム４０には突起掛止部４３が形成される。このとき、突起部２３と突起掛止部４３は互いに対応する位置に形成される。そして、説明していない溶接用開口部２５はカップリングタブ６０とベアセル１０の電極端子１１を溶接するとき、溶接棒が挿入される空間である。
【００３８】
図２は、本発明の一実施形態に係るカップリングタブを示す斜視図である。
図２を参照すれば、カップリングタブ６０は第１フレーム２０の内部端子露出部２４に安着してベアセル１０の一対の電極端子１１を電気的に連結させるものであって、電極端子１１と接触する端子接触部６３と、前記電極端子に隣接するようにカップリングタブ６０を保持するために、前記少なくとも１つのフレーム延長部に結合される突出部からなる。そして、前記突出部は前記端子接触部６３の両端から垂直に延びる一対の垂直リーブ６１a、６１ｂを含む。そして、カップリングタブ６０は、垂直リーブ６１のそれぞれから互いに反対になる方向に延びる第１突出リーブ６２ａ及び第２突出リーブ６２ｂを更に含む。
【００３９】
即ち、第１突出リーブ６２ａは一側の垂直リーブ６１ａの左側に延び、第２突出リーブ６２ｂは他側の垂直リーブ６１ｂの右側に延びることができる。また、他側の垂直リーブ６１ｂには左側に延びる第３突出リーブ６２ｃが更に形成されることができる。このような突出リーブ６２ａ、６２ｂ、６２ｃは第１フレーム２０のリーブ掛止部又はスロット２２に挿入されてカップリングタブ６０を固定させることができる。
【００４０】
図３Ａは、本発明の一実施形態に係る第１フレームとカップリングタブが結合されている状態を示す斜視図であり、図３Ｂは、本発明の一実施形態に係る第１フレームとカップリングタブが結合されている状態を示す平面図である。
【００４１】
図３Ａ及び図３Ｂを参照すれば、第１フレーム２０に各ベアセル１０の１つの長側面１０ａが露出するように強制嵌入された状態でカップリングタブ６０が内部端子露出部２４に安着して結合される。更に詳細に説明すれば、カップリングタブ６０の端子接触部６３が内部端子露出部２４に安着し、垂直リーブ６１は第１フレーム２０のフレーム延長部２１に内接するように位置する。ここで、フレーム延長部２１はベアセル１０の上部面１０ｃと当接する第１フレーム２０の一対の辺からベアセル１０の外側方向に延びる領域である。
【００４２】
そして、突出リーブ６２は、フレーム延長部２１の内側に形成されたリーブ掛止部又はスロット２２により掛止される。これにより、カップリングタブ６０が内部端子露出部２４に固定されてベアセル１０の電極端子１１（図１参照）と電気的に連結されることができ、このとき、カップリングタブ６０は第１フレーム２０の上部で挿入される形態で安着する。
【００４３】
ここで、ベアセル１０の電極端子１１とカップリングタブ６０は溶接により連結され得るが、突出リーブ６２がリーブ掛止部２２に掛止されることで、カップリングタブ６０が電極端子１１の正確な位置に溶接され得る。そして、第１フレーム２０のフレーム延長部２１の一領域には溶接棒が挿入されるための溶接用開口部２５が形成されてカップリングタブ６０と電極端子１１を容易に溶接可能である。
【００４４】
また、溶接用開口部２５と対向するフレーム延長部２１には補助開口部２６が更に形成されることができるが、これは第１フレーム２０にカップリングタブ６０を挿入するとき、カップリングタブ６０を最後まで取った状態で安全に端子露出部２４に安着するようにできる空間である。
【００４５】
ここで、カップリングタブ６０の一側の垂直リーブ６１ａは左側にのみ第１突出リーブ６２ａが延びているので、溶接用開口部２５を閉鎖しないことができる。また、カップリングタブ６０の他側の垂直リーブ６１ｂは両側にそれぞれ第２突出リーブ６２ｂ及び第３突出リーブ６３ｂが延びているので、補助開口部２６に位置する第２突出リーブ６２ｂを取ってカップリングタブ６０を第１フレーム２０方向に挿入できる。
【００４６】
第１フレーム２０は、四角形又は「ロ」字状に形成されて一対のベアセル１０の長側面１０ａが向かい合うように、即ち、一対のベアセル１０の長側面１０ａが１つずつ露出するように配置される。このとき、第１フレーム２０はベアセル１０の外形と一致する形状に形成されて第１フレーム２０にベアセル１０が強制嵌入されて組み立てられる。そして、ベアセル１０が第１フレーム２０に結合された後も電極端子１１が露出するように第１フレーム２０の上部には内部端子露出部２４が形成される。
【００４７】
図４Ａは、本発明の一実施形態に係るコアパックを示す斜視図である。
図４Ａを参照すれば、ベアセル１０及びカップリングタブ６０が結合されている第１フレーム２０上部面には保護回路モジュール３０が安着する。ここで、保護回路モジュール３０は、第１フレーム２０に溶接又は絶縁テープにより付着され得る。
【００４８】
カップリングタブ６０は、第１フレーム２０に安着した保護回路モジュール３０と電気的に連結され、第１フレーム２０がベアセル１０と保護回路モジュール３０との間に位置してカップリングタブ６０以外の領域を絶縁させる。保護回路モジュール３０は、カップリングタブ６０と物理的に結合されると同時に電気的に接続され、印刷回路基板（図面符号省略）を含んでなる。印刷回路基板にはバッテリに対する充電及び放電を制御することで、充電状態を均一にする回路、又は過放電及び過充電を防止する回路のような保護回路が形成されている。
【００４９】
また、保護回路モジュール３０は、サーミスター（Ｔｈｅｒｍｉｓｔｏｒ）又は温度フューズのような保護素子を含むことができる。これらは電池の温度上昇や過度な充放電により電池の電圧、電流が規定以上となる場合に電流を遮断することによって、電池の破裂、発火などの危険を防止する。また、保護回路モジュールは、印刷回路基板にカップリングタブとの電気的な接続のために設置された電気接続端子（図示せず）を含んでなる。
【００５０】
このような保護回路モジュール３０は、ベアセル１０と外部機器（図示せず）との間に電気的信号をやり取りするためのものであって、そのために、上部に保護回路モジュール３０と外部機器との電気的媒介体としての役割を果たす外部入出力端子部３１を更に含んでなる。外部入出力端子部３１は、金属部３１ａと、金属部３１ａを覆うハウジング部３１ｂを含んでなる。
【００５１】
金属部３１ａは伝導性材質である金（Ａｕ）でめっきされてなり、ベアセル１０と外部機器との間に電気信号が流れることができるようにする役割を果たし、ハウジング部３１ｂは絶縁性材質であるプラスチック材質からなり、ハウジング部３１ｂに一定間隔に介在された金属部３１ａを互いに絶縁する役割を果たす。
【００５２】
図４Ｂは、本発明の一実施形態に係るコアパックの外部に第２フレームが組み立てられた状態を示す斜視図である。
【００５３】
図４Ｂを参照すれば、第２フレーム４０は、上部の第１サブフレーム４０ａ及び下部の第２サブフレーム４０ｂがそれぞれ別途に備えられて相互結合することによって、保護回路モジュール２０と第１フレーム１０が装着されているベアセル１０を覆って収容することができる。そして、第２フレーム４０には外部入出力端子部３１を外部に露出させることができる外部端子露出部４２が備えられ得る。
【００５４】
本発明の第１実施形態において、第２フレーム４０は上部第２フレーム４０ａ及び下部第２フレーム４０ｂがそれぞれ別途に備えられて互いに結合したが、ベアセル１０の一対の長側面１０ａが露出するように四角形又は「ロ」字状の一体型に第２フレーム４０を形成できる。
【００５５】
ここで、第１フレーム２０はベアセル１０と保護回路モジュール３０を絶縁させる役割を果たし、第２フレーム４０はバッテリパックの外郭形態及び強度のために設置される。このような第１フレーム２０と第２フレーム４０はＰＣ（Ｐｏｌｙｃａｒｂｏｎａｔｅ）、ＰＥＴＧ（Ｐｏｌｙｇｌｙｃｏｌ
Ｔｅｒｅｐｈｔｈａｌａｔｅ Ｇｌｙｃｏｌ）、ＰＥ（Ｐｏｌｙｇｌｙｃｏｌ）、ＰＰ（Ｐｏｌｙｐｒｏｐｙｌｅｎｅ）、及びＡＢＳ（Ａｃｒｏｎｉｔｒｉｌｅ-Ｂｕｔａｄｉｅｎｅ-Ｓｔｙｒｅｎ）で構成される群より選択されるいずれか１つで形成されることができる。これにより、第２フレーム４０が四角形又は「ロ」字状の一体型に形成された場合、素材から発生する若干の弾性力により第２フレーム４０を第１フレーム２０に容易に組み立てることができる。
【００５６】
図４Ｃは、本発明の一実施形態に係るバッテリ組立体を示す斜視図である。
図４Ｃを参照すれば、コアパックが第２フレーム４０と組み立てられた後、テーピング部材５０がその外側を覆うことができる。テーピング部材５０は、コアパックと第２フレーム４０の結合状態を補強するために用いられるが、第２フレーム４０とコアパック間の締結部のみを局部的に覆う形態であってもよく、第２フレーム４０とコアパックの外面全体を覆う単一のシート形状であってもよい。ここで、テーピング部材５０の形状については限定しない。
【００５７】
このようなテーピング部材５０は二次電池の放電容量や製造日付などが印刷されるだけでなく、二次電池に対する保護や絶縁機能などを含む包装用ラベルであってもよい。包装用ラベルの素材としては通常、包装材として用いられる合成樹脂又は紙などを用いることができるが、好ましくは、収縮チューブを用いることが好ましい。
【００５８】
このように、複数のベアセル１０を連結するためのカップリングタブ６０に突出リーブ６２を形成し、複数のベアセル１０を収容する第１フレーム２０にはリーブ掛止部２２を形成することによって、複数のベアセル１０とカップリングタブ６０の溶接時に複数のベアセル１０を遊動なしに密着するようにできる。また、正確な位置にカップリングタブ６０を固定させることができることにより、製品の不良が減少して生産性を向上させることができる。
【００５９】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００６０】
１０    ベアセル
１１    電極端子
２０    第１フレーム
６０    カップリングタブ
【図１】
2011091046.tif 000003
【図２】
2011091046.tif 000004
【図３Ａ】
2011091046.tif 000005
【図３Ｂ】
2011091046.tif 000006
【図４Ａ】
2011091046.tif 000007
【図４Ｂ】
2011091046.tif 000008
【図４Ｃ】
2011091046.tif 000009